(57)【特許請求の範囲】
【請求項１】
前側面（１４）及び後側面（１６）を有する眼科用レンズ（１０）と、
前記眼科用レンズと結合している一つ以上のハプティックス（２０）とを備え、
前記後側面又は前記前側面のうちの何れか一つは、前記眼科用レンズが非球面レンズとして構成されるように成形され、前記後側面又は前記前側面のうちの何れか一つは、前記眼科用レンズがトーリックレンズとして構成されるように成形され、
前記眼科用レンズは、45度子午線において0.2と0.3mmの間の特定のエッジの厚さを有し、前記エッジの厚さは、前記トーリックレンズの周りで正弦的に変化し、
四つの前記45度子午線における厚さは、全て等しいことを特徴とする眼科用デバイス。
【請求項２】
前記後側面または前記前側面のうちの何れか一つは、前記眼科用レンズが前記非球面レンズ及び前記トーリックレンズとして構成されるように成形される、請求項１に記載の眼科用デバイス。
【請求項３】
単一の面が、トーリック性及び非球面性をもつように成形され、
前記単一の面は、次式により定義され、
【数１】
0005603326.tif 000017
ここで、
【数２】
0005603326.tif 000018
ここで、
【数３】
0005603326.tif 000019
ここで、トーリック面において、kx 及びkyは、0であってはならず、
【数４】
0005603326.tif 000020
である請求項１に記載の眼科用デバイス。
【請求項４】
前記後側面または前記前側面のうちの一方は、前記眼科用レンズが非球面レンズとして構成されるように成形され、前記後側面または前記前側面のうちの他方は、前記眼科用レンズがトーリックレンズとして構成されるように成形される、請求項１に記載の眼科用デバイス。
【請求項５】
前記前側面及び前記後側面は、非球面性及びトーリック性を提供するように前記デバイスの離れた第１の面及び第２の面であり、次式により定義され、
【数５】
0005603326.tif 000021
及び
【数６】
0005603326.tif 000022
ここで、
【数７】
0005603326.tif 000023
及び
【数８】
0005603326.tif 000024
及び
【数９】
0005603326.tif 000025
ここで、r、θは、レンズ中心からの軸方向距離及び子午線の角度であり、cx、cyは、曲率であり、kx、kyは、二つのトーリック主子午線に対する円錐定数である、請求項１に記載の眼科用デバイス。
【請求項６】
四つの前記45度子午線における厚さは、全て0.21mmである、請求項１に記載の眼科用デバイス。
【請求項７】
前記非球面は、全ての円柱の子午線に対して単一の非球面性をもつように成形される、請求項１に記載の眼科用デバイス。
【請求項８】
前記非球面は、第１の子午線に対する第１の非球面性及び第２の子午線に対する第２の非球面性をもつように成形される、請求項１に記載の眼科用デバイス。
【請求項９】
前記第１の子午線及び前記第２の子午線は、主子午線である、請求項８に記載の眼科用デバイス。
【請求項１０】
前記ハプティックスは、ACRYSOFで形成される、請求項１に記載の眼科用デバイス。
【請求項１１】
前記ハプティックスは、生体適合性材料との付着を促進するために粗面化される、請求項１に記載の眼科用デバイス。
【請求項１２】
前記眼科用デバイスは、非点収差に係る一つ以上の子午線に対して前記眼科用レンズの位置合わせを補助するために置かれる一セットのマーカを備える、請求項１に記載の眼科用デバイス。
【発明の詳細な説明】
【技術分野】
【０００１】
本願の開示に係る実施形態は、一般に眼内レンズに関し、特に、非球面性とトーリック性とを組み合わせた眼内レンズに関する。
【背景技術】
【０００２】
眼内レンズ（ＩＯＬｓ）は、通常、固有の水晶体（crystalline lens）を置換するために、又は失われた光学パワーを補うために、白内障手術中に、患者の眼の中に埋め込まれる。「眼内レンズ」という用語及びその略称ＩＯＬは、固有のレンズを置換するために、あるいは固有のレンズが除去されるか否かにかかわらず視力を増強するために、眼の内側に埋め込まれるレンズを記述するため、ここでは同じ意味で用いられる。
【０００３】
従来のＩＯＬは球面である、つまり後側面が湾曲している。しかしながら、非球面ＩＯＬは、角膜の球面収差を補正する非球面を有する。トーリックＩＯＬは、一定のディオプタ範囲にわたって角膜の非点収差を補正又は軽減するトーリック面を有する。
【発明の概要】
【０００４】
従って、視力を補正するための向上された方法及び眼科用レンズ、特に、除去された固有の水晶体の失われた光学パワーを補うために採用され得る、そのような方法及びレンズが必要である。それ故に、一定の物体距離の範囲にわたって、その範囲のどの部分も犠牲にすることなく視力を回復させる能力を向上させる必要がある。
【０００５】
「非球面基準曲線」及び「非球面プロファイル」という用語は、ここでは同じ意味で用いられ、周知である。さらなる説明が必要とされるであろう範囲で、これらの用語は、ここでは、球面からの偏差を示す面の半径方向のプロファイルに言及するために用いられる。そのような偏差は、例えば、非球面プロファイルと、そのプロファイルの頂点からの小さい方の半径方向の距離においてその非球面プロファイルと実質的に一致する推定上の球面プロファイルとの間の滑らかに変化する差として特徴付けることができる。さらに、「実質的に同一のＩＯＬ」又は「実質的に同一のレンズ」という用語は、ここでは、それが比較される非球面ＩＯＬと同じ材料で形成されるＩＯＬを呼ぶのに用いられる。「実質的に同一のＩＯＬ」の各表面は、非球面ＩＯＬの対応する表面の中心半径と同じ中心半径（すなわち、表面と光軸の交点に対応するその表面の頂点での半径）を有する。加えて、「実質的に同一のＩＯＬ」は、そのＩＯＬが比較される非球面ＩＯＬと同じ中心の厚さを有する。しかしながら、「実質的に同一のＩＯＬ」は、球面のプロファイルを有する。すなわち非球面ＩＯＬによって示される非球面性が欠けている。
【０００６】
本願の開示に係る実施形態は、視力を向上させるための先行技術の方法の欠点を、取り除き、又は少なくとも実質的に縮小する、一定の物体距離の範囲にわたって優れた視力を提供するシステム及び方法を提供する。
【０００７】
様々な実施形態が角膜の非点収差及び球面収差を補正又は軽減するトーリック性（toricity）と非球面性の両方を含むＩＯＬを提供する。トーリック性及び非球面性は、二つの離れた面上にあってもよいし、又は単一の面上に存在してもよい。全ての円柱の子午線に対して単一の非球面性が提示されてもよいし、又は異なる子午線に対して変化する非球面性が提示されてもよい。例えば、非点収差に係る二つの主要な子午線に対して異なる度合いの非球面性が用いられてもよい。ここに開示される実施形態は、例えばコマ、トレフォイル（trefoil）、テトラフォイル（tetrafoil）等の他の収差を補正又は軽減するために役立つ可能性がある。より高次の収差についても可能とすることができる。
【０００８】
トーリック性及び非球面性が、離れた面上又は組み合わされた面上の何れかで提供されるレンズは、優れたトーリック性、球面収差、レンズ品質及び4/6を超える解像力を有した。ここに開示される実施形態は、既存のプロセスを用いて製作できる。
【０００９】
非球面トーリックレンズの一実施形態は、前側面、後側面及び眼科用レンズと結合している一つ以上のハプティックス（haptics）を有する眼科用レンズを備える眼科用デバイスに含まれ得る。後側面又は前側面のうちの何れか一つは、眼科用レンズが非球面レンズとして構成されるように成形され、後側面又は前側面のうちの何れか一つは、眼科用レンズがトーリックレンズとして構成されるように成形される。例えば、後側面は、眼科用レンズが非球面レンズとして構成されるように成形され、前側面は、眼科用レンズがトーリックレンズとして構成されるように成形される。又は、前側面は、眼科用レンズが非球面レンズとして構成されるように成形され、後側面は、眼科用レンズがトーリックレンズとして構成されるように成形されてもよい。
【００１０】
一実施形態では、離れた面上でトーリック性及び非球面性をもつ非球面トーリック眼内レンズは、以下のように解析的に記述されてもよい。
【数１】
0005603326.tif 000002
ここで、r、θは、レンズ中心からの軸方向距離及び子午線の角度である。cx、cy及びkx、kyは、二つのトーリック主子午線に対する曲率及び円錐定数である。この実施形態では、kx及びkyは、0に等しいことが好ましい。
【００１１】
上記の例では、離れた面が非球面性及びトーリック性を提供するように成形される。他の実施形態では、単一の面がこれらの特徴を提供するように成形される。例えば、後側面が、眼科用レンズが非球面レンズ及びトーリックレンズとして構成されるように成形される。つまり、後側面は、非球面性とトーリック性の両方を提供するように成形される。もう一つの実施形態によると、前側面が、眼科用レンズが非球面レンズ及びトーリックレンズとして構成されるように成形される。
【００１２】
トーリック性及び非球面性を提供するように成形される特定の面をもつレンズは、以下のように記述され得る。
【数２】
0005603326.tif 000003
【００１３】
好ましくは、ここに開示される眼科用デバイスは、6D-34Dの光学パワーを有する。関連する実施形態では、Rは略12mmから略120mmの範囲内にある（大きさのみ、符号は正と負の両方を取り得る）。幾つかの実施形態では、cxは、略0.008mm-lから略0.08mm-lの範囲内とすることができ（大きさのみ、符号は正と負の両方を取り得る）、cyは、略0.008mm-lから略0.08mm-lの範囲内とすることができ（大きさのみ、符号は正と負の両方を取り得る）、kxは、略-3000から略-l2の範囲内とすることができ、kyは、略-3000から略-l2の範囲内とすることができる。さらに、幾つかの実施形態では、非球面円錐定数（k）は、略-3000から略-l2の範囲内とすることができる。加えてcは、略0.008mm-lから略0.08mm-lの範囲内とすることができる（大きさのみ、符号は正と負の両方を取り得る）。
【００１４】
様々な実施形態によると、眼科用レンズは、45度子午線において特定のエッジの厚さを有する。その特定のエッジの厚さは、45度子午線において、任意の望ましい厚さとすることができるが、0.2から0.3mmの範囲内であることが好ましく、0.21mmであることが好ましい。そのエッジの厚さは、レンズの周りで一定とすることができ、又は変化させることもできる。例えば、そのエッジの厚さは、周期的、例えば正弦的に変化させてもよい。レンズの中心の厚さも、選択され得る。レンズのエッジ及び中心の厚さが選択され得るので、レンズは、そのレンズが適合でき、例えばAcrySof IQTM（AcrySof及びAcrySof IQは、テキサス州フォートワースのアルコン・ラボラトリ社の登録商標）を埋め込むために用いられる機器等の既存の外科的な機器で埋め込まれ得るように、成形され得る。
【００１５】
眼科用デバイスの一実施形態によると、非球面は、全ての子午線に対して同じ非球面性をもつように成形される。あるいは、レンズは、異なる子午線に対して異なる非球面性をもつように成形されてもよい。例えば、レンズは、第１の子午線に対する第１の非球面性及び第２の子午線に対する第２の非球面性をもつように形成され得る。限定ではなく例として、第１及び第２の子午線は、非点収差に係る主子午線でもよい。
【００１６】
眼科用デバイスは、眼の中の眼科用デバイスの動きを最小化するように構成されるハプティックスを含み得る。ハプティックスは、例えばAcrySof（AcrySofTM は、テキサス州フォートワースのアルコン・ラボラトリ社の登録商標）等の生体適合性材料で作ることができる。ハプティックスは、生体適合性材料との付着を促進するために粗面化され得る。
【００１７】
レンズは、さらに、外科医が非点収差に係る主子午線に対してそのレンズの位置決めを可能にするための一つ以上のマーカを含み得る。そのマーカは、小さい点、隆起した部分、又は外科医が外科手術の間に見ることができるが、好ましくは処置が完了した後、患者が識別することができない他の形状とすることができる。
【００１８】
実施形態は、さらに眼科用方法を含み得る。眼科用方法の一実施形態は、ここに記述されるように眼科用デバイスを選択すること及び患者の眼の中に眼科用デバイスを埋め込むことを含み得る。眼科用デバイスは、周知の外科的処置を用いて、また好ましくは、既存の外科的ツールを用いて埋め込まれ得る。眼科用デバイスは、眼に残存する非点収差を全体として最小化すること、術前の円柱軸を維持すること、又は特定の子午線に残存する非点収差を小さくすることを含む色々な要因に基づいて選択され得る。
以下の記述を、ほとんどの場合に同様の参照番号が同様の構成を示す添付の図面とともに参照することで、本開示及びその利点をより完全に理解できるであろう。
【図面の簡単な説明】
【００１９】
【図１】分離された面上でトーリック性及び非球面性を有する一設計による非球面トーリック眼内レンズ１０の一実施形態を概略的に説明する図である。
【図２】分離された面上でトーリック性及び非球面性を有する一設計による非球面トーリック眼内レンズ１０の一実施形態を概略的に説明する図である。
【図３】単一の面上でトーリック性及び非球面性を有する一設計による非球面トーリック眼内レンズ１０の一実施形態を概略的に説明する図である。
【図４】分離された設計を用いる非球面トーリックＩＯＬ１０における球面収差の測定のグラフ表示を表す図である。
【図５】組み合わされた設計を用いる非球面トーリックＩＯＬにおける球面収差の測定のグラフ表示を表す図である。
【図６】分離された設計を用いる非球面トーリックＩＯＬにおけるレンズのトーリック性の測定のグラフ表示を表す図である。
【図７】組み合わされた設計を用いる非球面トーリックＩＯＬにおけるレンズのトーリック性の測定のグラフ表示を表す図である。
【図８】分離された設計を用いる非球面トーリックＩＯＬにおけるバックフォーカス（ＢＦＬ）の測定のグラフ表示を表す図である。
【図９】組み合わされた設計を用いる非球面トーリックＩＯＬにおけるバックフォーカス（ＢＦＬ）の測定のグラフ表示を表す図である。
【図１０】Z20非点収差の補正のための、10個の分離された設計レンズ１０及び10個の組み合わされた設計レンズにおけるレンズのトーリック性のグラフの比較の図である。
【図１１】Z42球面収差の補正のための、10個の分離された設計レンズ１０及び10個の組み合わされた設計レンズ１０における球面収差のグラフの比較の図である。
【図１２】非点収差の補正のための、10個の分離された設計レンズ及び10個の組み合わされた設計レンズにおけるレンズのトーリック性のグラフの比較の図である。
【図１３】非点収差の補正のための、10個の分離された設計レンズ及び10個の組み合わされた設計レンズにおけるレンズのトーリック性のグラフの比較の図である。
【図１４】10個の分離された設計レンズ及び10個の組み合わされた設計レンズにおけるレンズのバックフォーカス（ＢＦＬ）のグラフの比較の図である。
【図１５】10個の分離された設計レンズ及び10個の組み合わされた設計レンズにおけるレンズのバックフォーカス（ＢＦＬ）のグラフの比較の図である。
【図１６】一実施形態による10個の分離された設計レンズ及び10個の組み合わされた設計レンズにおけるレンズの球面収差（ＳＡ）のグラフの比較を表す図である。
【図１７】一実施形態による10個の分離された設計レンズ及び10個の組み合わされた設計レンズにおけるレンズのトーリック性のグラフの比較を表す図である。
【図１８】一実施形態による10個の分離された設計レンズ及び10個の組み合わされた設計レンズにおけるレンズパワーのグラフの比較を表す図である。
【図１９】一実施形態による弱主経線でのレンズパワーのグラフ表示を表す図である。
【図２０】一実施形態によるエッジの厚さのグラフ表示を表す図である。
【発明を実施するための形態】
【００２０】
本願は、2008年5月6日に出願された、米国特許仮出願第61/050,911号に対して、優先権を主張し、その内容全体がここに参照として組み込まれる。
ここで用いられているように、「備える（comprises）」、「備えている（comprising）」、「含む（includes）」、「含んでいる（including）」、「有する（has）」、「有している（having）」という用語又はそれらの任意の他の変形は、非排他的な含有を対象にすることを意図している。例えば、列挙された要素を有するあるプロセス、プロセス、物又は装置は、必ずしもこれらの要素のみを含むものに限定されず、明確に記載されていないか又は当該のあるプロセス、プロセス、物又は装置に固有の他の要素を含んでもよい。さらに、反対であると明示していない限り、「又は（or）」は包含的であり、排他的ではない。例えば、条件Ａ又はＢは以下の何れか一つによって満たされる。Ａは真（又は存在する）でありＢは偽である（又は存在しない）、Ａは偽（又は存在しない）でありＢは真（又は存在する）である、並びにＡとＢの両方が真（又は存在する）である。
【００２１】
加えて、ここに与えられる任意の例又は説明は、これらがともに利用される任意の用語又は表現の制限事項、限定、又は特別の定義として多少なりともみなすべきではない。代わりに、これらの例又は説明は、ある特定の実施形態に関して記述されるもの及び具体例としてのみ、みなされるべきである。当業者は、これらの例又は説明が共に利用される任意の用語又は表現が、それとともに又は明細書内の他の場所に与えられている、又は与えられていない他の実施形態を包含していること、並びに全てのそのような実施形態はその用語又は表現の範囲内に含まれることが意図されていることを理解するだろう。そのような非限定的な例及び説明を指定する言葉は、「例えば（for example）」、「例えば（for instance）」、「例えば（e.g.）」、「一実施形態では（in one embodiment）」を含むが、これらに限定されるものではない。
【００２２】
様々な実施形態が図面に説明されており、同様の符号が、様々な図面の同様の及び対応する部分を参照して用いられている。
【００２３】
ここに開示された実施形態は、角膜の非点収差及び角膜の球面収差を取り除き、又は軽減するためのシステム及び方法を提供する。
【００２４】
ここに開示された実施形態は、球面収差のコントラストを補正又は軽減するように選択される非球面性を有する少なくとも一つのレンズ面及び非点収差を補正又は軽減するように選択されたトーリック性を有する少なくとも一つのレンズ面を含む眼科用レンズを提供する。ここに開示された実施形態は、その各面が球面である実質的に同一のレンズによって提供される像と比較して像のコントラストを向上させるように選択される非球面性を有する少なくとも一つのレンズ面を含む眼科用レンズを提供する。以下の実施形態では、その実施形態は、主として眼内レンズに関して説明される。しかしながら、これらの教示が、例えばコンタクトレンズ等の色々な他の眼科用レンズに同様に適用されることが理解されるべきである。
【００２５】
図１は、非球面トーリック眼内レンズ（ＩＯＬ）１０の一実施形態の透視図を表す。幾つかの実施形態では、レンズ１０は、前側面１４、その相対する側にある後側面１６及びマーキング２２を含んでもよい。非球面トーリックＩＯＬ１０は、さらに、患者の眼の中での配置のために、放射方向に伸びる固着部材（fixation members）又はハプティックス２０を含んでもよい。レンズ１０は、例えばソフトアクリル、シリコーンまたはヒドロゲル材料等の生体適合性ポリマー材料で形成され得る。幾つかの実施形態では、そのレンズの特定のアプリケーションにおける必須の屈折率を示す、任意の生体適合性−好ましくはソフトな−材料が採用され得る。幾つかの実施形態では、登録商標AcrySofTM（AcrySofは、テキサス州フォートワースのアルコン・ラボラトリ社の登録商標）に基づいて製作された材料がＩＯＬ１０を形成するために用いられてもよい。さらに、固着部材２０は、例えばポリメチル・メタクリレート（ＰＭＭＡ）、ポリプロピレン等の適切なポリマー材料でも形成され得る。眼内レンズの製造は、例えばピンカッティング、ウエハーモールディング及びレンズキャスティング等の周知の製造プロセスを含んでもよい。
【００２６】
図２は、前側面１４及び後側面１６を有する一設計による非球面トーリック眼内レンズ１０の一実施形態を表す。図２に表されるように、幾つかの実施形態では、レンズ１０のトーリック性及び非球面性は、異なる面上に存在してもよい（言い換えると、分離された非球面トーリックＩＯＬ１０であり、分離された設計レンズ１０とも称される）。幾つかの実施形態では、分離された設計レンズ１０は、例えば21ディオプタ（D）の関連したベースパワー、例えば1.50Dの円柱度数（a cylinder）、例えば0.2ミクロンの球面収差補正を有してもよく、前側面上にコーニック（a conic）を、後側面上に円柱度数を有してもよい。幾つかの実施形態では、前側面は、例えば19.613mmの関連した半径及び例えば-36.211のコーニックを有してもよい。幾つかの実施形態では、後側面は、第１の半径（Rad X）及び第２の半径（Rad Y）を有してもよい。図２に表されるように、Rad Xは、-23.808mmとしてもよく、Rad Yは、-20.447mmとしてもよい。レンズ１０は、例えば0.611mmの厚さの中心を有してもよい。
【００２７】
一実施形態では、離れた面上にトーリック性及び非球面性をもつ非球面トーリック眼内レンズは、以下のように解析的に記述されてもよい。
【数３】
0005603326.tif 000004
【００２８】
幾つかの実施形態では、レンズ１０は、略6Dから略30Dの範囲内の光学パワーを提供することができ、レンズ１０の非球面は、略0.0152mm-1から略0.0659mm-1まで変動するc、略-1162から略-19まで変動するk、略-0.00032mm-1から略-0.00020mm-1まで変動するa1、略-0.0000003（-3x10-7）mm-3から略-0.000053（-5.3x10-5）mm-3まで変動するa2、及び略0.0000082（8.2x.lO-6）mm-5から略0.000153（1.53x10-4）mm-5まで変動するa3を使って特徴付けることができる。
【００２９】
幾つかの実施形態では、レンズ１０は、略16Dから略25Dの範囲内の光学パワーを提供することができ、そのレンズの非球面は、略0.0369（1/27.1）mm-1から略0.0541（1/18.5）mm-1まで変動するc、略-73から略-27まで変動するk、略-0.000209mm-1から略-0.000264mm-1まで変動するa1、略-0.0000297mm-3から略-0.0000131mm-3まで変動するa2、及び略0.00000978mm-5から略0.00000846mm-5まで変動するa3を使って特徴付けることができる。
【００３０】
他の実施形態では、Rは略12mmから略120mmの範囲内（大きさのみ、符号は正と負の両方を取り得る）にある。幾つかの実施形態では、cxは、略0.008mm-lから略0.08mm-lの範囲内とすることができ（大きさのみ、符号は正と負の両方を取り得る）、cyは、略0.008mm-lから略0.08mm-lの範囲内とすることができ（大きさのみ、符号は正と負の両方を取り得る）、kxは、略-3000から略-l2の範囲内とすることができ、kyは、略-3000から略-l2の範囲内とすることができる。さらに、幾つかの実施形態では、非球面円錐定数（k）は、略-3000から略-l2の範囲内とすることができる。加えてcは、略0.008mm-lから略0.08mm-lの範囲内とすることができる（大きさのみ、符号は正と負の両方を取り得る）。
【００３１】
多くの実施形態では、前側面の非球面プロファイルは、コントラスト伝達関数（ＭＴＦ）により特徴付けられた像のコントラストを患者に提供するように設計され得る。周知のように、測定又は計算された、レンズに関連付けられるコントラスト伝達関数（ＭＴＦ）は、そのレンズによって提供される像のコントラストの定量的尺度を提供することができる。一般に、光学信号、例えば、結像される物体から発する、又は結像される物体によって反射される光の強度分布の２次元のパターンに関連付けられる、又はそのような物体の像に関連付けられるコントラスト又は変調は、以下の関係に従って定義され得る。
【数４】
0005603326.tif 000005
【００３２】
ここで、Imax及びIminは、それぞれ、その信号に関連付けられる最大又は最小の強度を示す。そのようなコントラストは、光学信号内に存在する各空間周波数に対して計算又は測定され得る。そして、例えば組み合わされたＩＯＬ及び角膜等の撮像光学系のＭＴＦは、物体と関連付けられるコントラストに対する、その光学系により形成されるその物体の像と関連付けられるコントラストの比として定義され得る。周知の通り、光学系に関連付けられるＭＴＦは、その光学系の照明光の強度分布の空間周波数に依存するだけでなく、例えば照明の開口部の大きさ等の他の要因の他にその照明光の波長によっても影響を受け得る。
【００３３】
例えば図２に表された実施形態等の幾つかの実施形態では、レンズ１０の非球面性は、50ラインペア／ミリメートルの空間周波数で略550nmの波長を有する単色光並びに5.0mmの開口部（例えば、瞳孔の大きさ）を使って測定又は計算された焦点において少なくとも略0.9のＭＴＦを提供することができる。幾つかの実施形態では、前側面の非球面性は、許容範囲にある被写界深度を維持している間、非球面トーリックＩＯＬ１０が埋め込まれている患者に、約0.9であるコントラスト伝達関数（ＭＴＦ）により特徴付けられた像のコントラストを提供するように選択される。ＭＴＦは、例えば、略5.0mmの開口部に対して略0.85から略0.93の範囲内とすることができる。患者の眼におけるＭＴＦの直接的な測定が複雑になる可能性があるとき、多くの実施形態では、非球面ＩＯＬによって提供される像の向上は、個々の患者の眼又は選択された患者グループの眼に対応する、選択された角膜及び／又は固有のレンズの収差を示すモデル眼（a model eye）においてＭＴＦを理論的に計算することにより評価され得る。患者の角膜及び／又は固有のレンズをモデルにするために必要とされる情報は、周知のトポグラフィックな方法を採用することにより実行される眼の波形の収差の測定から獲得され得る。
【００３４】
図２に表された実施形態において、x及びy軸に残存する収差は、およそ、第１の子午線に沿って0.0012ミクロン、及び第２の子午線に沿って-0.0037ミクロンとすることができ、Δ（差分）は、およそ0.0049ミクロンとすることができる。クリスタルウェイブ（CrystalWave）のＰＭＭＡから製造された一実施形態の理論的な評価において、レンズ１０は、1.096Dの円柱度数とともに、14.787D（x）及び15.883D（y）のレンズパワーを有することができる。球面収差は、-0.3223132ミクロンとすることができる。
【００３５】
図３は、一実施形態による非球面トーリック眼内レンズ１０を概略的に説明する。図３に表されるように、幾つかの実施形態では、非球面トーリックＩＯＬ１０のトーリック性及び非球面性は、同じ面上で組み合わされてもよい（言い換えると、組み合わされた非球面トーリックＩＯＬ１０とも称される）。図３に表されるように、トーリック性及び非球面性は、後側面１６’上で組み合わされてもよい。幾つかの実施形態では、レンズ１０は、例えば21ディオプタ（D）のベースパワー、例えば1.50Dの円柱度数、例えば0.2ミクロンの球面収差補正を有してよく、後側面１６’上でコーニック及び円柱度数を組み合わせてもよい。幾つかの実施形態では、前側面１４’は、例えば19.609mmの、関連した半径を有してよい。幾つかの実施形態では、後側面１６’は、第１の半径（Rad X）、第１のコーニック（Conic X）、第２の半径（Rad Y）、第２のコーニック（Conic Y）、平均半径（Rad avrg）及び平均コーニック（Conic avrg）を有してよい。図４では、Rad Xはおよそ-23.814mmであり、Conic Xはおよそ-65.571であり、Rad Yはおよそ-20.451mmであり、Conic Yはおよそ-42.168であり、Rad avrgはおよそ-22.005であり、そしてConic avrgはおよそ-51.953である。レンズ１０は、例えば0.612mmの厚さの中心及び例えば0.21mmのエッジの厚さを有してもよい。
【００３６】
一実施形態では、組み合わされたトーリック性及び非球面性をもつ単一の面は、以下のように解析的に記述されてもよい。
【数５】
0005603326.tif 000006
ここで、トーリック面において、kx 及びkxは、0であってはならない。
【数６】
0005603326.tif 000007
【００３７】
多くの実施形態では、組み合わされた設計での後側面１６’の非球面プロファイルは、50ラインペア／ミリメートルの空間周波数で略550nmの波長を有する単色光並びに開口部（例えば、瞳孔の大きさ）を使って測定又は計算された焦点において少なくとも略0.9のコントラスト伝達関数（ＭＴＦ）により特徴付けられた像のコントラストを患者に提供するように設計することができる。ＭＴＦは、例えば、略5.0mmの開口部に対して略0.85から略.93までの範囲内にある。
【００３８】
図３に表された実施形態において、x及びy軸に残存する収差は、およそ、第１の子午線に沿って0.0039ミクロン、及び第２の子午線に沿って-0.0050ミクロンとすることができ、Δ（差分）は、およそ0.0089ミクロンとすることができる。ＰＭＭＡから製造された一実施形態の理論的な評価において、レンズ１０は、1.096Dの円柱度数とともに、14.787D（x）及び15.883D（y）のレンズパワーを有することができる。球面収差は、-0.3099855としてもよい。
【００３９】
幾つかの実施形態では、レンズのトーリック性及び非球面性の量を瞳孔の直径（開口部）の関数とみなすことにより、よりよい光学素子を実現することができる。図４は、分離された設計を用いる非球面トーリックＩＯＬ１０における球面収差の測定のグラフ表示を表す。図４で、2.0mmと5.0mmの間で変動する様々な瞳孔の直径において、製造されたレンズ１０ａにおける（ミクロン単位の）球面収差に相当する量は、設計レンズ１０ｂにおける（ミクロン単位の）球面収差に相当する量と比較することができる。
【００４０】
図５は、組み合わされた設計を用いる非球面トーリックＩＯＬ１０における球面収差の測定のグラフ表示を表す。図５で、2.0mmと5.0mmの間で変動する様々な瞳孔の直径において、製造されたレンズ１０ａにおける（ミクロン単位の）球面収差に相当する量は、設計レンズ１０ｂにおける（ミクロン単位の）球面収差に相当する量と比較することができる。
【００４１】
図６は、分離された設計を用いる非球面トーリックＩＯＬ１０におけるレンズのトーリック性の測定のグラフ表示を表す。図６で、2.0mmと5.0mmの間で変動する様々な瞳孔の直径において、製造されたレンズ１０ａの（ミクロン単位の）非点収差におけるゼルニケ係数は、設計レンズ１０ｂにおけるゼルニケ係数と比較することができる。
【００４２】
図７は、組み合わされた設計を用いる非球面トーリックＩＯＬ１０におけるレンズのトーリック性の測定のグラフ表示を表す。図７で、2.0mmと5.0mmの間で変動する様々な瞳孔の直径において、製造されたレンズ１０ａの（ミクロン単位の）非点収差におけるゼルニケ係数は、設計レンズ１０ｂにおけるゼルニケ係数と比較することができる。
【００４３】
図８は、分離された設計及び組み合わされた設計を用いる非球面トーリックＩＯＬ１０におけるバックフォーカス（ＢＦＬ）の測定のグラフ表示を表す。図８で、BFL-X及びBFL-Yにおいて、（mm単位の）バックフォーカスは、設計レンズ１０ａと製造されたレンズ１０ｂの間で比較することができる。図８に表されるように、設計レンズ１０ａにおけるBFL-Xはおよそ20.7mmとすることができ、分離されたレンズ１−ｂにおけるBFL-Xはおよそ20.60mmとすることができる。
【００４４】
図９は、組み合わされた設計を用いる非球面トーリックＩＯＬ１０におけるバックフォーカス（ＢＦＬ）の測定のグラフ表示を表す。図９で、BFL-X及びBFL-Yにおいて、（mm単位の）バックフォーカスは、設計レンズ１０ａと製造されたレンズ１０ｂの間で比較することができる。図９に表されるように、設計レンズ１０ａにおけるBFL-Xはおよそ20.7mmとすることができ、分離されたレンズ１０ｂにおけるBFL-Xはおよそ20.10mmとすることができる。
【００４５】
実施例は、本開示の利点及び特徴を指し示すのに役立つ。非球面トーリックＩＯＬ１０は、周知の製造プロセスを利用する例えばAcrySof等の材料から製造してもよい。製造プロセスは、ピンカッティング、ウエハーモールディング及びレンズキャスティングを含んでもよいが、これに限定されない。トーリック性及び非球面性は、例えば前側面１４及び後側面１６等の離れた面上で提供されてもよく、又は例えば後側面１６’等の単一の面上で組み合わされてもよい。
【００４６】
図１０は、5.0mmのＩＯＬ開口部でのZ42球面収差の補正のための、10個の分離された設計レンズ１０及び10個の組み合わされた設計レンズ１０の球面収差のグラフの比較である。図１０は、離れた面（すなわち、前側面１４及び後側面１６）上でトーリック性及び非球面性を有する10個の非球面トーリックＩＯＬ１０、及び単一の面（すなわち、後側面１６’）上で組み合わされたトーリック性及び非球面性を有する10個の非球面トーリックＩＯＬ１０の結果を表す。レンズ１０は、およそ100個のレンズの生産セットの集団から選び取られた。レンズ１０は、5.0mmのＩＯＬ開口部での球面収差Z42に対してテストされた。テストの結果、およそ1.05ミクロンの最小補正及びおよそ1.28の最大補正とともに、およそ1.16ミクロンの公称補正が与えられた。このテストにおいて、分離された設計では、公称の厚さ又はそれ未満で補正があり、そのサンプルのうちの5個では、最小補正又はその近くで補正があった。このテストにおいて、組み合わされた設計では、公称補正未満で補正があるという結果になり、その10個のうち9個は、1.10ミクロン又はそれより上だった。
【００４７】
図１１は、球面収差の補正のための、10個の分離された設計レンズ１０及び10個の組み合わされた設計レンズ１０の球面収差のグラフの比較である。幾つかの実施形態では、レンズ１０は、例えばZ42収差等の収差を補正するために用いることができる。レンズ１０は、例えば4.5mmのＩＯＬ開口部等の、関連した開口部を有してもよい。図１１に表されるように、Z42収差は、略0.74ミクロンと略0.92ミクロンの間とすることができ、公称球面収差を略0.83ミクロンとすることができる。ここに開示された分離された設計の非球面トーリックＩＯＬ１０の実施形態は、略100個のＩＯＬ１０の集団からサンプリングされた10個のレンズ１０のサンプル集団に基づいて、略0.74ミクロンから略0.81ミクロンまでのZ42球面収差を補正することができる。ここに開示された組み合わされた設計の非球面トーリックＩＯＬ１０の実施形態は、略100個のＩＯＬの集団からサンプリングされた10個のレンズのサンプル集団に基づいて、略0.79ミクロンから略0.85ミクロンまでのZ42球面収差を補正することができる。
【００４８】
ここに開示された実施形態は、角膜の非点収差を補正又は軽減するために役立つ可能性がある。
【００４９】
図１２は、Z20非点収差の補正のための、10個の分離された設計レンズ１０及び10個の組み合わされた設計レンズ１０のレンズのトーリック性のグラフの比較を表す。幾つかの実施形態では、Z20非点収差は、5.0mmのＩＯＬ開口部と関連付けることができる。図１２に表されるように、Z20非点収差は、略5.3ミクロンと略6.5ミクロンの間とすることができ、公称非点収差を略5.9ミクロンとすることができる。ここに開示された分離された設計の非球面トーリックＩＯＬ１０の実施形態は、略100個のＩＯＬ１０の集団からサンプリングされた10個のレンズ１０のサンプル集団に基づいて、略5.1ミクロンから略6.5ミクロンまでのZ20非点収差を補正することができる。ここに開示された組み合わされた設計の非球面トーリックＩＯＬ１０の実施形態は、略100個のＩＯＬ１０の集団からサンプリングされた10個のレンズ１０のサンプル集団に基づいて、略5.1ミクロンから略5.9ミクロンまでのZ20非点収差を補正することができる。
【００５０】
図１３は、4.5mmのＩＯＬ開口部でのZ20非点収差の補正のための、10個の分離された設計レンズ１０及び10個の組み合わされた設計レンズ１０のレンズのトーリック性のグラフの比較を表す。図１３に表されるように、Z20非点収差は、略4.3ミクロンと略5.3ミクロンの間とすることができ、公称非点収差を略4.8ミクロンとすることができる。ここに開示された分離された設計の非球面トーリックＩＯＬ１０の実施形態は、略100個のＩＯＬ１０の集団からサンプリングされた10個のレンズ１０のサンプル集団に基づいて、略4.1ミクロンから略5.4ミクロンまでのZ20非点収差を補正することができる。ここに開示された組み合わされた設計の非球面トーリックＩＯＬ１０の実施形態は、略100個のＩＯＬ１０の集団からサンプリングされた10個のレンズ１０のサンプル集団に基づいて、略4.1ミクロンから略4.8ミクロンまでのZ20非点収差を補正することができる。
【００５１】
図１４は、3.0mmのＩＯＬ開口部に対する、10個の分離された設計レンズ１０及び10個の組み合わされた設計レンズ１０のレンズのバックフォーカス（ＢＦＬ）のグラフの比較を表す。21.0Dの非球面トーリックＩＯＬ１０における第１のy-BFLは、略19.30mmと略19.82mmの間とすることができ、公称y-BFLを略19.59ミクロンとすることができる。図１４に表されるように、分離された設計を有する幾つかの非球面トーリックＩＯＬ１０におけるy-BFLは、21.0Dに近い光学パワーを有するレンズ１０をもたらすことができる。図１４に表されるように、21.5Dに対するy-BFLは、略18.90mmと略19.30mmの間とすることができ、公称y-BFLを略19.10ミクロンとすることができる。図１４に表されるように、組み合わされた設計を有する幾つかの非球面トーリックＩＯＬ１０におけるx-BFLは、21.5Dに近い光学パワーを有するレンズ１０をもたらすことができる。
【００５２】
図１５は、3.0mmのＩＯＬ開口部に対する、10個の分離された設計レンズ１０及び10個の組み合わされた設計レンズ１０のレンズのバックフォーカス（ＢＦＬ）のグラフの比較を表す。21.0Dの非球面トーリックＩＯＬ１０における第１のx-BFLは、略18.00mmと略18.40mmの間とすることができ、公称x-BFLを略18.20ミクロンとすることができる。図１５に表されるように、分離された設計を有する幾つかの非球面トーリックＩＯＬ１０におけるx-BFLは、21.0Dに近い光学パワーを有するレンズ１０をもたらすことができる。図１５に表されるように、21.5Dに対するx-BFLは、略17.60mmと略18.00mmの間とすることができ、公称x-BFLを略18.00ミクロンとすることができる。図１５に表されるように、組み合わされた設計を有する幾つかの非球面トーリックＩＯＬ１０におけるx-BFLは、21.5Dに近い光学パワーを有するレンズ１０をもたらすことができる。
【００５３】
図１６は、5.0mmのＩＯＬ開口部に対する、10個の分離された設計レンズ１０及び10個の組み合わされた設計レンズ１０のレンズの球面収差（ＳＡ）のグラフの比較を表す。図１６に表されるように、ゼルニケ球面収差（C40）は、-0.19ミクロンの公称収差とともに、-0.17ミクロンの最小収差及び-0.23ミクロンの最大収差を有することができる。分離された設計を利用するＩＯＬ１０により提供される補正の範囲は-0.17ミクロンから略-0.18ミクロンの間にあるとすることができる。組み合わされた設計を利用するＩＯＬ１０により提供される補正の範囲はおよそ-0.18ミクロンと-0.19ミクロンの間にあるとすることができる。
【００５４】
図１７は、5.0mmのＩＯＬ開口部に対する、10個の分離された設計レンズ１０及び10個の組み合わされた設計レンズ１０のレンズのトーリック性のグラフの比較を表す。図１７に表されるように、円柱度数（ディオプタ）は、1.5Dの公称円柱度数とともに、1.30Dの最小円柱度数及び1.65Dの最大円柱度数を有することができる。分離された設計を利用するＩＯＬ１０により提供される補正の範囲は1.25Dから略1.75Dの間にあるとすることができる。組み合わされた設計を利用するＩＯＬ１０により提供される補正の範囲はおよそ1.2Dから1.6Dの間にあるとすることができる。
【００５５】
図１８は、3.0mmのＩＯＬ開口部に対する、10個の分離された設計レンズ１０及び10個の組み合わされた設計レンズ１０のレンズパワーのグラフの比較を表す。図１８に表されるように、20.00と20.50Dの間のレンズパワー（強主経線）は、21.0DのＳＥを提供することができ、20.6Dと21.0Dの間のレンズパワー（強主経線）は、21.5DのＳＥを提供することができる。分離された設計を利用するＩＯＬ１０により提供される補正の範囲はおよそ20.00と20.40Dの間にあるとすることができる。例えば、'18'として識別されるレンズ１０は、およそ20.25Dのレンズパワーを提供することができる。組み合わされた設計を利用するＩＯＬ１０により提供される補正の範囲はおよそ20.40と20.90Dの間にあるとすることができる。例えば、'1'として識別されるレンズ１０は、およそ20.90Dのレンズパワーを提供することができる。
【００５６】
図１９は、トーリックベンチ（toric bench）をもつ3.0mmの開口部に対する、弱主経線でのレンズパワーのグラフ表示を表す。図２１に表されるように、21.50と22.00Dの間のレンズパワー（弱主経線）は、21.0DのＳＥを提供することができ、22.00Dと22.50Dの間のレンズパワー（弱主経線）は、21.5DのＳＥを提供することができる。分離された設計を利用するＩＯＬ１０により提供される補正の範囲はおよそ21.75と21.90Dの間にあるとすることができる。例えば、'18'として識別されるレンズ１０は、およそ20.25Dのレンズパワーを提供することができる。組み合わされた設計を利用するＩＯＬ１０により提供される補正の範囲はおよそ22.00と20.90Dの間にあるとすることができる。例えば、'1'として識別されるレンズ１０は、およそ20.90Dのレンズパワーを提供することができる。
【表１】
0005603326.tif 000008
【００５７】
表１は、非球面／トーリックレンズ１０の二つの実施形態の様々なサンプルの結果を表す。表１に表される実施形態において、分離された設計の実施形態の光学パワー及びエッジの厚さは、組み合わされた設計の実施形態と等しく、中心の厚さはほとんど同じだった。
【００５８】
幾つかの実施形態では、レンズ１０のエッジの厚さは変化させてもよい。幾つかの実施形態では、レンズ１０のエッジの厚さは周期的に変化させてもよい。幾つかの実施形態では、エッジの厚さの変化は正弦的でもよい。幾つかの実施形態では、レンズ１０のエッジの厚さは45度子午線において等しくてもよい。45度子午線において等しいエッジの厚さを有する利点は、眼の中へレンズ１０を埋め込むための既存ツールを用いることができる可能性があることである。図２０は、非球面トーリック眼内レンズ１０の一実施形態におけるエッジの厚さのグラフ表示を表す。図２０に表されるように、厚さの変化は、正弦的とすることができる。幾つかの実施形態では、正弦的な変化は、一つの子午線において等しいレンズ厚さをもたらすことができる。幾つかの実施形態では、レンズの厚さは、四つの45度子午線において等しくすることができ、弱主経線及び／または強主経線において最大又は最小の厚さとすることができる。図２０に表されるように、レンズの厚さは、強主経線において最大（すなわち、およそ0.225mm）であり、最小（すなわち、およそ0.195mm）であり、四つの45度子午線において等しく（すなわち、およそ0.21mm）なる。
【００５９】
前述の通り、単一のレンズ１０上でトーリック性及び非球面性を提供するための方法及び装置が提供されている。特に、向上したＩＯＬは、追加の視力補正（例えば、眼鏡）の必要なく、優れた遠見及び近見視力を実現することが開示されている。このように、前述の実施形態によって、固有の水晶体を一定の物体距離の範囲にわたって優れた視力を提供するＩＯＬに置換することができる。
【００６０】
外科的処置の間、上述したＩＯＬの様々な実施形態は、周知の外科的ツール及び技術を用いて埋め込まれ得る。様々な実施形態によると、レンズは、例えば、眼全体の残存する非点収差を最小化すること、術前の円柱軸を維持すること、又は好ましい子午線に残存する非点収差を最適化することであるがこれに限定されない、視力を向上させるための非点収差の補正の対策をサポートするために用いられ得る。処置の間、外科医は、レンズのトーリック形状を非点収差に係る子午線に適切に位置合わせするためにレンズ上のマーキング（例えば図１のマーキング２２等）を用いることができる。
【００６１】
実施形態がここに詳細に記述されているが、その記述は例示のみのためであり、限定する意味に解釈されないことを理解すべきである。従って、実施形態の詳細における数字の変更及び追加の実施形態は、明らかであり、この記述を参照して当業者によってなされ得ることをさらに理解すべきである。すべてのそのような変更及び追加の実施形態は記載の請求項の範囲内にあることが予期される。
（態様１）
前側面及び後側面を有する眼科用レンズと、
前記眼科用レンズと結合している一つ以上のハプティックスとを備え、
前記後側面又は前記前側面のうちの何れか一つは、前記眼科用レンズが非球面レンズとして構成されるように成形され、前記後側面又は前記前側面のうちの何れか一つは、前記眼科用レンズがトーリックレンズとして構成されるように成形される眼科用デバイス。
（態様２）
前記後側面は、前記眼科用レンズが前記非球面レンズ及び前記トーリックレンズとして構成されるように成形される、態様１に記載の眼科用デバイス。
（態様３）
前記前側面は、前記眼科用レンズが前記非球面レンズ及び前記トーリックレンズとして構成されるように成形される、態様１に記載の眼科用デバイス。
（態様４）
前記後側面は、前記眼科用レンズが非球面レンズとして構成されるように成形され、前記前側面は、前記眼科用レンズがトーリックレンズとして構成されるように成形される、態様１に記載の眼科用デバイス。
（態様５）
前記前側面は、前記眼科用レンズが非球面レンズとして構成されるように成形され、前記後側面は、前記眼科用レンズがトーリックレンズとして構成されるように成形される、態様１に記載の眼科用デバイス。
（態様６）
前記眼科用レンズは、45度子午線において特定のエッジの厚さを有する、態様１に記載の眼科用デバイス。
（態様７）
前記特定のエッジの厚さは、0.2と0.3mmの間である、態様１に記載の眼科用デバイス。
（態様８）
前記エッジの厚さは、周期的に変化する、態様６に記載の眼科用デバイス。
（態様９）
前記非球面は、全ての円柱の子午線に対して単一の非球面性をもつように成形される、態様１に記載の眼科用デバイス。
（態様１０）
前記非球面は、第１の子午線に対する第１の非球面性及び第２の子午線に対する第２の非球面性をもつように成形される、態様１に記載の眼科用デバイス。
（態様１１）
前記第１の子午線及び前記第２の子午線は、主子午線である、態様１に記載の眼科用デバイス。
（態様１２）
前記ハプティックスは、ACRYSOFで形成される、態様１に記載の眼科用デバイス。
（態様１３）
前記ハプティックスは、生体適合性材料との付着を促進するために粗面化される、態様１に記載の眼科用デバイス。
（態様１４）
前記眼科用デバイスは、非点収差に係る一つ以上の子午線に対して前記眼科用レンズの位置合わせを補助するために置かれる一セットのマーカを備える、態様１に記載の眼科用デバイス。
（態様１５）
患者に埋め込む眼科用デバイスを選択することと、
前記患者の眼の中に前記眼科用デバイスを埋め込むことと、を含み、
前記眼科用デバイスは、
前側面及び後側面を有する眼科用レンズと、
前記眼科用レンズと結合している一つ以上のハプティックスとを備え、
前記後側面又は前記前側面のうちの何れか一つは、前記眼科用レンズが非球面レンズとして構成されるように成形され、前記後側面又は前記前側面のうちの何れか一つは、前記眼科用レンズがトーリックレンズとして構成されるように成形される、
眼科用方法。
（態様１６）
前記後側面は、前記眼科用レンズが前記非球面レンズ及び前記トーリックレンズとして構成されるように成形される、態様１５に記載の眼科用方法。
（態様１７）
前記前側面は、前記眼科用レンズが前記非球面レンズ及び前記トーリックレンズとして構成されるように成形される、態様１５に記載の眼科用方法。
（態様１８）
前記後側面は、前記眼科用レンズが非球面レンズとして構成されるように成形され、前記前側面は、前記眼科用レンズがトーリックレンズとして構成されるように成形される、態様１５に記載の眼科用方法。
（態様１９）
前記前側面は、前記眼科用レンズが非球面レンズとして構成されるように成形され、前記後側面は、前記眼科用レンズがトーリックレンズとして構成されるように成形される、態様１５に記載の眼科用方法。
（態様２０）
前記眼科用レンズは、45度子午線において特定のエッジの厚さを有する、態様１５に記載の眼科用方法。
（態様２１）
前記特定のエッジの厚さは、0.2と0.3mmの間である、態様１５に記載の眼科用方法。
（態様２２）
前記エッジの厚さは、周期的に変化する、態様１９に記載の眼科用方法。
（態様２３）
前記非球面は、全ての円柱の子午線に対して単一の非球面性をもつように成形される、態様１５に記載の眼科用方法。
（態様２４）
前記非球面は、第１の子午線に対する第１の非球面性及び第２の子午線に対する第２の非球面性をもつように成形される、態様１５に記載の眼科用方法。
（態様２５）
前記第１の子午線及び前記第２の子午線は、主子午線である、態様１５に記載の眼科用方法。
（態様２６）
前記ハプティックスは、ACRYSOFで形成される、態様１５に記載の眼科用方法。
（態様２７）
前記ハプティックスは、生体適合性材料との付着を促進するために粗面化される、態様１５に記載の眼科用方法。
（態様２８）
前記眼科用デバイスを選択することは、前記眼に残存する非点収差を最小化するように前記眼科用デバイスを選択することを含む、態様１５に記載の眼科用方法。
（態様２９）
前記眼科用デバイスを選択することは、術前の円柱軸を維持するように前記眼科用デバイスを選択することを含む、態様１５に記載の眼科用方法。
（態様３０）
前記眼科用デバイスを選択することは、特定の子午線に残存する非点収差を小さくするように前記眼科用デバイスを選択することを含む、態様１５に記載の眼科用方法。
（態様３１）
前記眼科用レンズ上のマーカを用いて前記眼科用レンズを非点収差に係る子午線に位置合わせすることを含む、態様１５に記載の眼科用方法。
（態様３２）
前側面と、
後側面とを備え、
前記前側面又は前記後側面のうちの何れか一つは、非球面性を有し、前記前側面又は前記後側面のうちの何れか一つは、トーリック性を有する、眼科用レンズ。
（態様３３）
単一の面が、非球面性及びトーリック性をもつように成形される、態様３２に記載の眼科用レンズ。
（態様３４）
前記単一の面は、次式により定義され、
【数７】
0005603326.tif 000009
ここで、
【数８】
0005603326.tif 000010
ここで、
【数９】
0005603326.tif 000011
である態様３３に記載の眼科用レンズ。
（態様３５）
分離された面が、前記トーリック性及び前記非球面性を有する、態様３２に記載の眼科用レンズ。
（態様３６）
前記第１の面及び前記第２の面は、次式により定義され、
【数１０】
0005603326.tif 000012
及び
【数１１】
0005603326.tif 000013
ここで、
【数１２】
0005603326.tif 000014
及び
【数１３】
0005603326.tif 000015
及び
【数１４】
0005603326.tif 000016
である態様３５に記載の眼科用レンズ。
【図１】
0005603326.tif 000026
【図２】
0005603326.tif 000027
【図３】
0005603326.tif 000028
【図４】
0005603326.tif 000029
【図５】
0005603326.tif 000030
【図６】
0005603326.tif 000031
【図７】
0005603326.tif 000032
【図８】
0005603326.tif 000033
【図９】
0005603326.tif 000034
【図１０】
0005603326.tif 000035
【図１１】
0005603326.tif 000036
【図１２】
0005603326.tif 000037
【図１３】
0005603326.tif 000038
【図１４】
0005603326.tif 000039
【図１５】
0005603326.tif 000040
【図１６】
0005603326.tif 000041
【図１７】
0005603326.tif 000042
【図１８】
0005603326.tif 000043
【図１９】
0005603326.tif 000044
【図２０】
0005603326.tif 000045